(57)【特許請求の範囲】
【請求項１】
段ボール又は厚紙製の背板に、該背板を折り曲げ及び切断可能なミシン目が縦方向に縦断するように設けられており、該ミシン目を境とした両側の背板にフック取り付け部が設けられていて、
前記背板が２枚の板を帯状の接続部材で貼り合わせたものであり、前記ミシン目が前記接続部材に設けられている
ことを特徴とする吊り下げ型商品展示装置。
【請求項２】
段ボール又は厚紙製の背板に、該背板を折り曲げ及び切断可能なミシン目が縦方向に縦断するように設けられており、該ミシン目を境とした両側の背板にフック取り付け部が設けられていて、 
段ボール又は厚紙から成り、伸ばした状態、あるいは折り曲げた状態の前記背板の上端部の形状と略同形状の溝を有する袋状の固定具を備える
ことを特徴とする吊り下げ型商品展示装置。
【請求項３】
段ボール又は厚紙製の背板に、該背板を折り曲げ及び切断可能なミシン目が縦方向に縦断するように設けられており、該ミシン目を境とした両側の背板にフック取り付け部が設けられていて、
前記背板が、被展示物を掛ける棒状部の基部に係合部を有するフックの該基部を挿入する挿入孔を有すると共に、
前記背板の前記挿入孔の近傍に、該挿入孔の縁に平行な軸の周りに回動可能な回動片部を有する
ことを特徴とする吊り下げ型商品展示装置。
【請求項４】
段ボール又は厚紙製の背板に、該背板を折り曲げ及び切断可能なミシン目が縦方向に縦断するように設けられており、該ミシン目を境とした両側の背板にフック取り付け部が設けられていて、
前記背板に、プラスチックネジホックを取り付けるための孔が設けられており、その周囲に、周切れ目と、前記孔と該周切れ目を接続する縦切れ目とから成る、プラスチックネジホック取り外し構造が設けられている
ことを特徴とする吊り下げ型商品展示装置。
【請求項５】
前記ミシン目が平行に２列設けられていることを特徴とする請求項１〜４のいずれかに記載の吊り下げ型商品展示装置。
【請求項６】
前記２列のミシン目が、前記縦方向の切れ目と、該縦方向の切れ目から該２列のミシン目の間に向かって延びる斜めの切れ目から成るものであることを特徴とする請求項５に記載の吊り下げ型商品展示装置。
【発明の詳細な説明】
【技術分野】
【０００１】
本発明は、板材の前面に取り付けられたフックに商品を掛けて展示する、吊り下げ型商品展示装置に関する。
【背景技術】
【０００２】
商品を販売するために展示する吊り下げ型の商品展示装置として、厚紙製や段ボール製の板材の表面に複数のフックを取り付けると共に、その商品展示装置を吊り下げるための吊下紐を板材の上部に設けたものがある。
【０００３】
多くの場合、このような商品展示装置に使用される板材は変形させることができない。それに対して特許文献１には、板材に縦方向の折目を設け、折目を境として表面の左右両側にフックを取り付けた吊り下げ型商品展示装置が開示されている。この商品展示装置では、板材を折目で90°曲げることにより、陳列棚の角や柱の角に沿うように吊り下げることができる。また、板材を折目で180°曲げることにより、折目の左右両側の板材が背中合わせになり、前後両側にフックが取り付けられることとなる。
【先行技術文献】
【特許文献】
【０００４】
【特許文献１】特開2006-180997号公報
【発明の概要】
【発明が解決しようとする課題】
【０００５】
このように、特許文献１に記載の商品展示装置は、展示場所に応じて変形させることができる。しかし、展示する商品の数が少ない場合や、幅の狭いスペースに吊り下げる場合に、板材を折目で180°曲げて半分の幅で使用すると、客から見て裏側にまわった部分が使用できず、無駄になる。
【０００６】
本発明が解決しようとする課題は、折り曲げ可能であるのに加えて、展示する商品の数が少ない場合や幅の狭いスペースに吊り下げる場合にも無駄がなく、また、多様な箇所に吊り下げることのできる商品展示装置を提供することである。
【課題を解決するための手段】
【０００７】
上記課題を解決するために成された本発明に係る吊り下げ型商品展示装置は、
段ボール又は厚紙製の２枚の板を帯状の接続部材で貼り合わせた背板を備え、該接続部材に、該背板を折り曲げ及び切断可能なミシン目が縦方向に縦断するように設けられており、該ミシン目を境とした両側の背板にフック取り付け部が設けられていることを特徴とする。
【０００８】
本発明に係る吊り下げ型商品展示装置は、ミシン目を境として、両側の背板が真っ直ぐ並んだ状態で使用できると共に、ミシン目で任意の角度に折り曲げて使用することもできる。更には、ミシン目で背板を切り離して、２個の吊り下げ型商品展示装置に分離することもできる。展示する商品の数が少ない場合には切り離した一方の展示装置のみを使用すればよいし、幅の狭いスペースに設置する場合には、双方を上下に並べたり、他方を別の場所に設置することができる。これにより、双方を無駄なく使用することができる。
【０００９】
背板には、２枚の板（半背板）を帯状の接続部材で貼り合わせたものを用い、前記ミシン目は接続部材に設ける。接続部材を薄手の紙で製作することにより、ミシン目による分離が容易となる。接続部材は背板の表面に設けてもよいが、裏面に設けることが望ましい。背板を曲げて使用する場合のことを考慮すると、接続部材を裏面側に設けておいた方が両半背板の間の隙間を小さくすることができる。
【００１０】
前記ミシン目は背板自体や接続部材に１列のみ設けてもよいが、平行に２列設けることもできる。ミシン目が２列の場合、それらミシン目の間の部分を除去して背板を切り離す。ミシン目が１列のみであると、ミシン目を手で切る場合、どちらかの背板をねじる必要があり、その背板を変形させてしまうおそれがあるが、このようにミシン目を２列にした場合、両背板には変形を与えることなく切り離しを行うことができる。
【００１１】
また、ミシン目が２列の場合には、各ミシン目は単純な縦方向の切れ目のみのものよりも、各縦切れ目の端から両ミシン目の間に向かって延びる斜め切れ目を延設したもの（帯ミシン目）を用いることが望ましい。これにより、両ミシン目の間の帯状領域がより確実に除去されるようになる。
【００１２】
本発明に係る吊り下げ型商品展示装置は更に、段ボール又は厚紙から成り、伸ばした状態、あるいは折り曲げた状態の前記背板の上端部の形状と略同形状の溝を有する袋状の固定具を備えることができる。背板の上部にこの固定具を被せることにより、背板を真っ直ぐな状態あるいは折り曲げた状態で固定し、その形状を維持することができる。固定具は段ボール又は厚紙から成るため、使用しなくなった後には、背板と固定具を一緒に廃棄することができる。
【００１３】
本発明に係る吊り下げ型商品展示装置は、前記フック取り付け部が背板に設けられた穴であり、その穴に隣接して、その穴の縁の一部に沿った接続部（つなぎ部）を残してループ状に設けられたミシン目により囲まれた押し込み片を有するものとすることができる。この構成によれば、フックを取り外す際、この押し込み片を強く押し込むことにより、押し込み片がつなぎ部を軸として回動し、フックを背板から容易に取り外すことができるようになる。これにより、背板とフックを分別して廃棄することが容易となる。
【００１４】
また、本発明に係る吊り下げ型商品展示装置は、背板を、１枚の厚紙を折り曲げ、２枚重ねにした状態で固定したものとすることができる。その際、前記フック取り付け部を表側の厚紙に設け、裏側の厚紙にはそのフック取り付け部に取り付けられたフックの基部の固定を補助するような形状としておくことができる。
これら２枚重ねにした厚紙を固定する方法としては、糊付けや、プラスチックネジボタンホックによる方法がある。後者の方法で固定する場合、前記同様、廃棄時に紙製の展示装置本体とプラスチックネジボタンホックを容易に分離することができるように、背板にボタン取り外しのための切り込み構造を設けておくことが望ましい。
【発明の効果】
【００１５】
本発明に係る吊り下げ型商品展示装置は、背板をまっすぐにした状態や折り曲げた状態で使用することができる他、２つに分離して使用することもできる。２つに分離した場合、幅の狭い場所では両者を縦に並べたり、両者を全く別々の場所で使用する等、自由度の高い使用法が可能となる。また、展示する商品の数が少ない場合には、分離したうちの一方の部分だけを使用してもよい。
【図面の簡単な説明】
【００１６】
【図１】本発明に係る吊り下げ型商品展示装置の一実施例（固定具を除く）を示す正面図(a)及び背面図(b)。
【図２】２列ミシン目の詳細を示す平面図。
【図３】本実施例の吊り下げ型商品展示装置における背板の展開図(a)及び背板を組み立てた際に厚紙片同士をフックの係合部で固定した状態を示す拡大背面図(b)。
【図４】本実施例の吊り下げ型商品展示装置において固定具を装着する様子を示す概略正面図。
【図５】固定具の展開図(a)及び組み立てを示す図((b), (c))。
【図６】本実施例の吊り下げ型商品展示装置を、背板を折り曲げずに真っ直ぐに並べた状態で使用する場合(a)、両背板を90°曲げて使用する場合(b)、及び180°曲げて使用する場合(c)を示す斜視図。
【図７】本実施例の吊り下げ型商品展示装置の背板を接続部のミシン目で切り離した状態を示す背面図。
【図８】本実施例の吊り下げ型商品展示装置において、廃棄時に背板とフックを分離する操作を説明するための縦断面図。
【図９】本発明に係る吊り下げ型商品展示装置の変形例を示す正面図。
【図１０】本発明に係る吊り下げ型商品展示装置の他の変形例を示す正面図。
【図１１】図１０に示した変形例で用いるプラスチックネジホックを示す図。
【図１２】ホック取付孔、周切れ目及び縦切れ目の構成を示す正面図。
【発明を実施するための形態】
【００１７】
図１〜図１２を用いて、本発明に係る吊り下げ型商品展示装置の実施例を説明する。
【実施例】
【００１８】
本実施例の吊り下げ型商品展示装置１０は、図１(a)に示すように、厚紙製の縦長の板であって、表面にフック取付部１９が複数設けられ、上部に第１吊り下げ紐１２Ａが取り付けられた第１背板１１Ａと、第１背板１１Ａと同様に厚紙製であってその表面にフック取付部１９が複数設けられると共に上部に第２吊り下げ紐１２Ｂが取り付けられた第２背板１１Ｂから成る。以下、第１背板１１Ａと第２背板１１Ｂを合わせて背板１１と呼ぶ。フック取付部１９は、挿入孔１９１とその下方に設けられた押込片１９２から成り、フック２０はその基部を挿入孔１９１に挿入して背板１１に固定する。
【００１９】
背板１１の裏面には、図１(b)に示すように、第１背板１１Ａと第２背板１１Ｂを跨ぐように、縦長の紙から成る接続部材１３が貼付されている。接続部材１３には、縦方向（接続部材１３の長手方向）に延びる第１ミシン目１３１及び第２ミシン目１３２が平行に設けられている。第１ミシン目１３１と第２ミシン目１３２の間の帯状の部分は後述の分離帯１３３であり、その両側の第１貼付部１３４Ａ及び第２貼付部１３４Ｂがそれぞれ第１背板１１Ａの裏面及び第２背板１１Ｂの裏面に貼付されている。
【００２０】
第１ミシン目１３１及び第２ミシン目１３２は共に、図２に示すように、縦方向に延びる縦切れ目１３Ａと、その端から内側（第１ミシン目１３１と第２ミシン目１３２の間）に向かって延びる斜め切れ目１３Ｂから成る。斜め切れ目１３Ｂの広い方から狭い方（図２では上方から下方）に向けて中央の分離帯１３３を引っ張ることにより、分離帯１３３をきれいに剥がし、第１背板１１Ａと第２背板１１Ｂを分離することができる。
【００２１】
図１(b)に示すように、第１背板１１Ａの裏面には厚紙製の第１補強部材１４Ａが、第２背板１１Ｂの裏面には第１補強部材１４Ａと同様の第２補強部材１４Ｂが、それぞれ取り付けられている。以下、第１補強部材１４Ａを例にその構成を説明する。図３(a)に展開図で示すように、第１背板１１Ａと第１補強部材１４Ａは１枚の厚紙を折線１５で折り曲げることにより作製される。第１補強部材１４Ａは、折線１５で折り曲げて第１背板１１Ａの裏面に重ねたとき、その縁が挿入孔１９１の上端に重なり、且つ挿入孔１９１を覆わないような形状となっている。こうして挿入孔１９１の上端と第１補強部材１４Ａの縁を重ねた状態で、フック２０の基部２０１に設けられた爪（係合部）２０２を第１背板１１Ａの裏側で挿入孔１９１の上端及び下端に掛けると共に、第１背板１１Ａの表側で基部２０１が挿入孔１９１の幅よりも横方向に広がっている（図１(a)）ことにより、基部２０１と爪２０２で第１背板１１Ａを挟むようにフック２０が第１背板１１Ａに固定される。
【００２２】
各フック取付部１９の挿入孔１９１の下側に設けられた押込片１９２は、Ｕ字形のミシン目で囲まれることにより形成されている。ミシン目は挿入孔１９１の下側の縁１９３のわずかに下で止まっており（図３(b)）、これにより、挿入孔１９１と押込片１９２は切れ目の無い部分（つなぎ部）１９４により連結されることとなっている。
【００２３】
第１補強部材１４Ａの上部には第１吊り下げ紐１２Ａを取り付ける第１紐取り付け孔１７Ａが、第２補強部材１４Ｂの上部には第２吊り下げ紐１２Ｂを取り付ける第２紐取り付け孔１７Ｂが、それぞれ設けられている。
【００２４】
図４に示すように、背板１１の上部には、以下のように固定具２１を被せることができる。まず、図５を用いて固定具の構成を説明する。固定具２１は厚紙から成り、背板１１よりもわずかに幅が広い平坦な袋状の部材である。固定具２１は、図５に示すように、固定具背板２１１の左右両側に設けた横方向に延びる第１帯状部材２１２Ａ及び第２帯状部材２１２Ｂ（図５(a)）を、背板１１の厚み分の隙間（溝）を設けつつ固定具背板２１１の前方に折り込み、両者に設けた切れ込み２１２Ｃを噛み合わせる（図５(b)）と共に、固定具背板２１１の上方に設けた覆い板２１３をこれら帯状部材２１２Ａ、２１２Ｂの前方に折り込んだものである。覆い板２１３には、固定具背板２１１との境界付近に１対の紐通し孔２１４が設けられている。
【００２５】
固定具２１を取り付ける際には、図４(a)に示すように第１紐通し孔１７Ａに第１吊り下げ紐１２Ａを、第２紐通し孔１７Ｂに第２吊り下げ紐１２Ｂを通したうえで、図４(b)に示すように、背板１１が第１帯状部材２１２Ａ及び第２帯状部材２１２Ｂと固定具背板２１１の間に入るように、背板１１の上部に被せる。
【００２６】
本実施例の吊り下げ型商品展示装置１０は、図６(a)に示すように、固定具２１により背板１１を真っ直ぐな状態に固定して使用することができる。一方、例えば図６(b)に示すように柱３１や展示棚の角に沿って背板１１を90°折り曲げた状態で使用したり、図６(c)に示すように背板１１を180°折り曲げることによって表裏両面にフック２０を有する吊り下げ型商品展示装置として使用する等、任意の角度に曲げて使用することもできる。このように、折り曲げて使用する場合にも、それぞれの角度に設定した固定具を作製し、背板１１の上部に差し込むことにより、吊り下げ型商品展示装置１０をその角度の状態で確実に維持することができる。
【００２７】
そして、本実施例の吊り下げ型商品展示装置１０は、図７に示すように、第１ミシン目１３１及び第２ミシン目１３２に沿って分離帯１３３を接続部材１３から切り離すことにより、第１背板１１Ａを含む第１商品展示装置１０Ａと、第２背板１１Ｂを含む第２商品展示装置１０Ｂに分離することができる。こうして、１個の商品展示装置が、それとは形状が異なる２個の商品展示装置になり、商品の展示の状態に変化をつけることができる。
【００２８】
また、固定具１４を背板１１の上部に被せることにより、背板１１が意図せず折れ曲がることを防ぐことができ、それにより、真っ直ぐな状態を維持したまま吊り下げることができる（図６(a)）。そして、固定具２１は背板１１と同様に厚紙製であるため、それらを分別することなく一緒に廃棄することができる。
【００２９】
本実施例の吊り下げ型商品展示装置１０では、図８に示すように、背板１１の表面から裏面に向けて押込片１９２を押し込むことにより、前記つなぎ部１９４が軸となって押込片１９２が回動する。その結果、フック２０の基部の爪２０２が挿入孔１９１から外れやすくなり、背板１１とフック２０を容易に分離することができる。本実施例に係る吊り下げ型商品展示装置１０を廃棄する際は、このようにして厚紙製の背板１１と、通常はプラスチックあるいは金属製であるフック２０を容易に分別することができる。
【００３０】
上記実施例では背板１１及び固定具２１の材料にいずれも厚紙を用いたが、これらの一部又は全部を段ボールで作製してもよい。また、図９に示すように、１枚の背板１１Ｃに直接ミシン目１３５を設けてもよい。
【００３１】
第１背板１１Ａと第１補強部材１４Ａ、及び、第２背板１１Ｂと第２補強部材１４Ｂの固定は、糊による貼付であってもよいが、図１０に示すようにプラスチックネジホック２２を用いてもよい。プラスチックネジホック２２は、図１１に示すように、雄ねじ部２２１（図１１(a)）と雌ねじ部２２２（図１１(b)）から構成され、両者２２１、２２２を固定する際は両者２２１、２２２をねじ込むのではなく、真っ直ぐに押し込む（図１１(c)）。ネジ山及び雌ネジがいずれもプラスチックであることから、強い力で押し込むことにより両者２２１、２２２は結合する。ただし、両者２２１、２２２を外すときは、一方に対して他方を回転しなければならない。図１１のプラスチックネジホック２２では、雌ねじ部（図１１(b)）にそのためにコイン等を差し込む溝が設けられている。
【００３２】
このように、プラスチックネジホック２２を固定する際は容易であるが、それを取り外す際はやや面倒となっている。本実施例の吊り下げ型商品展示装置１０では、上記のフック２０取り外しの場合と同様、プラスチックネジホック２２の取り外しも容易にするため、図１２に示すように、第１背板１１Ａと第１補強部材１４Ａ、及び、第２背板１１Ｂと第２補強部材１４Ｂのプラスチックネジホック２２を取り付けるためのホック取付孔２３の周囲に略半円状の周切れ目２３１を設け、ホック取付孔２３と周切れ目２３１の間に１本の縦切れ目２３２を入れる。ホック取付孔２３と縦切れ目２３１の間、及び、周切れ目２３１と縦切れ目２３２の間は僅かに接続しておく。
【００３３】
このような構造のホック取付孔２３にプラスチックネジホック２２の雄ねじ部２２１と雌ねじ部２２２を両側から押し込むことにより、第１背板１１Ａと第１補強部材１４Ａ、及び、第２背板１１Ｂと第２補強部材１４Ｂを固定する。そして、本実施例の吊り下げ型商品展示装置１０を廃棄する際には、プラスチックネジホック２２のネジを回転することなく、一方の側からプラスチックネジホック２２を他方の側に押し込むことにより、プラスチックネジホック２２が周切れ目２３１と縦切れ目２３２を突き破り、取り外すことができるようになる。これにより、厚紙製の背板１１と、プラスチック製であるプラスチックネジホック２２を容易に分別することができる。
【符号の説明】
【００３４】
１０…吊り下げ型商品展示装置
１０Ａ…第１商品展示装置
１０Ｂ…第２商品展示装置
１１、１１Ｃ…背板
１１Ａ…第１背板
１１Ｂ…第２背板
１２Ａ…第１吊り下げ紐
１２Ｂ…第２吊り下げ紐
１３…接続部材
１３１…第１ミシン目
１３２…第２ミシン目
１３３…分離帯
１３４Ａ…第１貼付部
１３４Ｂ…第２貼付部
１３５…ミシン目
１３Ａ…縦切れ目
１３Ｂ…斜め切れ目
１４…固定具
１４Ａ…第１補強部材
１４Ｂ…第２補強部材
１５…折線
１７Ａ…第１紐取り付け孔
１７Ｂ…第２紐取り付け孔
１９…フック取付部
１９１…挿入孔
１９２…押込片
１９３…挿入孔の縁
１９４…つなぎ部
２０…フック
２０１…基部
２０２…爪
２１…固定具
２１１…固定具背板
２１２Ａ…第１帯状部材
２１２Ｂ…第２帯状部材
２１３…覆い板
２１４…紐通し孔
２２…プラスチックネジホック
２２１…雄ねじ部
２２２…雌ねじ部
２３…ホック取付孔
２３１…周切れ目
２３２…縦切れ目
３１…柱
【図１】
0005580149.tif 000002
【図２】
0005580149.tif 000003
【図３】
0005580149.tif 000004
【図４】
0005580149.tif 000005
【図５】
0005580149.tif 000006
【図６】
0005580149.tif 000007
【図７】
0005580149.tif 000008
【図８】
0005580149.tif 000009
【図９】
0005580149.tif 000010
【図１０】
0005580149.tif 000011
【図１１】
0005580149.tif 000012
【図１２】
0005580149.tif 000013